(57)【要約】      （修正有）【課題】電磁調理器により調理される調理物に超音波または音波を付与するに際して適切な超音波を付与することが可能な電磁調理器を提供する。【解決手段】筐体３と、この筐体３の上部に設けられる調理用容器の載置部１と、載置部１の下部に配置される加熱調理用の電磁コイル５と、超音波または音波を発生させて調理用容器に超音波または音波を伝達する超音波／音波発生部４と、超音波／音波発生部が発生する超音波または音波の周波数を制御可能な制御部とを備えている。【選択図】図２
0003222650.tif 000002
【実用新案登録請求の範囲】
【請求項１】
筐体部と、この筐体部の上部に設けられる調理用容器の載置部と、
前記載置部の下部に配置される加熱調理用の電磁コイルと、
超音波または音波を発生させて調理用容器に超音波または音波を伝達する超音波／音波発生部と、
この超音波／音波発生部が発生する超音波または音波の周波数を制御可能な制御部と、を備えていることを特徴とする電磁調理器。
【請求項２】
超音波または音波による振動が前記筐体部に伝達するのを抑制する緩衝材を備えていることを特徴とする請求項１に記載の電磁調理器。
【請求項３】
前記載置部には、穴が形成され、前記超音波／音波発生部の上端面が調理用容器に直接接触可能に構成されていることを特徴とする請求項１又は２に記載の電磁調理器。
【請求項４】
前記載置部の裏面に、前記超音波／音波発生部の上端面が接触するように構成されていることを特徴とする請求項１又は２に記載の電磁調理器。
【請求項５】
前記上端面に音の発生を抑制するための保護材を設けたことを特徴とする請求項３又は４に記載の電磁調理器。
【請求項６】
調理用容器が載置部の面上で移動するのを抑制する突出部を設けたことを特徴とする請求項１〜５のいずれか１項に記載の電磁調理器。
【請求項７】
前記超音波／音波発生部は、磁石と可動コイルの組み合わせからなり、前記制御部は、可動コイルに流す電流を制御するものであることを特徴とする請求項１〜６のいずれか１項に記載の電磁調理器。
【考案の詳細な説明】
【技術分野】
【０００１】
本考案は、超音波または音波を利用した電磁調理器に関する。
【背景技術】
【０００２】
調理物に超音波または音波を与えて適当な振動を与えることで、風味や特質を向上させたり、調理物への味の浸透を促進するなどの調理効果があることが知られている。その他にも、ワイン等に適当な振動を与えることで風味や特質が変わることも知られている。また、調理物に振動を与える場合、振動周波数や振幅の大きさによってその効果が変わる。
【０００３】
下記の特許文献１に開示される超音波調理器は、超音波振動子と、該超音波振動子の近傍に装着したコイルとを備え、電磁調理器（ＩＨ調理器、誘導加熱）から発生する電磁界でコイルに発生した起電力で超音波振動子を起動する。そして、ケースの上に軟質シート又は水性ゲルを介して煮炊きする物を入れた調理鍋を載置して調理するものである。これにより、調理鍋の中の煮炊きするものを煮込むとともに、超音波によって煮炊きする物にだし汁が浸透して更においしくなるという効果を有する。
【先行技術文献】
【特許文献】
【０００４】
【特許文献１】特許第３９１２５０４号
【考案の概要】
【考案が解決しようとする課題】
【０００５】
しかしながら、上記特許文献の構成は、電磁調理器の出力が超音波振動子を駆動するために使用されるものであり、本来の調理に必要な加熱の電力が低下して調理に要する時間が長くなるという欠点があった。また、上記特許文献の電磁調理器の加熱効率については、電磁調理器と加熱される鍋の間に超音波調理器が設けられるため電磁調理器と加熱される鍋の間に空隙が（距離）生じることにより電磁調理器から加熱用鉄板に与えられるエネルギー（鉄系金属に発生する渦電流）効率が低下する欠点があった。
【０００６】
さらに、超音波振動子により加振する周波数は、電磁調理器の周波数に固定されるため、調理物によってはその周波数が最適な状態ではないこともありうる。
【０００７】
本考案は上記実情に鑑みてなされたものであり、その課題は、電磁調理器により調理される調理物に超音波または音波を付与するに際して適切な超音波または音波を付与することが可能な電磁調理器を提供することである。
【課題を解決するための手段】
【０００８】
上記課題を解決するため本考案に係る電磁調理器は、
筐体部と、この筐体部の上部に設けられる調理用容器の載置部と、
前記載置部の下部に配置される加熱調理用の電磁コイルと、
超音波または音波を発生させて調理用容器に超音波または音波を伝達する超音波／音波発生部と、
この超音波／音波発生部が発生する超音波または音波の周波数を制御可能な制御部と、を備えていることを特徴とするものである。
【０００９】
かかる構成による電磁調理器の作用・効果を説明する。載置部の上に載置される調理用容器（鍋・フライパンなど）内の調理物に対しては、電磁コイルにより誘導加熱調理がなされる。また、調理用容器に超音波または音波を伝達する超音波／音波発生部を備えている。制御部は、超音波／音波発生部が発生する超音波または音波の周波数を制御可能であり、かつ、電磁コイルの駆動に依存することなく、独立して制御が可能である。従って、調理物の特性にあった周波数に基づいて超音波または音波を付与することができる。その結果、電磁調理器により調理される調理物に超音波または音波を付与するに際して適切な超音波を付与することができる。また、載置部の下部に加熱調理用の電磁コイルが配置されており、加熱効率が低下することもない。
【００１０】
本考案において、超音波または音波による振動が前記筐体部に伝達するのを抑制する緩衝材を備えていることが好ましい。
【００１１】
超音波または音波の振動が筐体に伝わるとその分超音波または音波が減衰するので、それを抑制するための緩衝材を設けることで効率よく超音波または音波を調理物に伝達することができる。
【００１２】
本考案に係る前記載置部には、穴が形成され、前記超音波／音波発生部の上端面が調理用容器に直接接触可能に構成されていることが好ましい。
【００１３】
かかる構成により、調理用容器に対して直接的に超音波または音波を伝達することができ、効率よく超音波または音波を伝達することができる。
【００１４】
本考案において、前記載置部の裏面に、前記超音波／音波発生部の上端面が接触するように構成されていることが好ましい。
【００１５】
かかる構成によると、載置部に穴を形成することなく、載置部を介して超音波または音波を間接的に伝達することができる。
【００１６】
本考案において、前記上端面に音の発生を抑制するための保護材を設けたことが好ましい。かかる構成により、騒音の発生を抑制しつつ超音波を伝達させることができる。
【００１７】
本考案において、調理用容器が載置部の面上で移動するのを抑制する突出部を設けたことが好ましい。
【００１８】
超音波または音波を調理用容器に伝達しているときに調理用容器が載置面上で移動する可能性があるので、突出部を設けることで調理用容器の移動を抑制して安定した状態で調理を行うことができる。
【００１９】
本考案に係る前記超音波／音波発生部は、磁石と可動コイルの組み合わせからなり、前記制御部は、可動コイルに流す電流を制御することが好ましい。なお、磁石は永久磁石でもよいし電磁石であっても良い。
【００２０】
かかる構成によれば、可動コイルを駆動することで超音波または音波を伝達することができる。可動コイルに流す電流を制御することで超音波または音波の周波数や振幅などを調整することができる。
【図面の簡単な説明】
【００２１】
【図１】第１実施形態に係る電磁調理器の平面図
【図２】第１実施形態に係る電磁調理器の内部構造を示す断面模式図
【図３】第２実施形態に係る電磁調理器の平面図
【図４】第２実施形態に係る電磁調理器の内部構造を示す断面模式図
【図５】超音波／音波発生部の構成を示す原理図
【図６】制御ブロック図
【考案を実施するための形態】
【００２２】
本考案に係る電磁調理器（ＩＨ調理器）の好適な実施形態を図面を用いて説明する。図１は、第１実施形態に係る電磁調理器の平面図である。図２は、第１実施形態に係る電磁調理器の内部構造を示す断面模式図である。図２において、鍋を想像線で示している。
【００２３】
＜第１実施形態＞
図１に示すように、電磁調理器は、載置部１と操作部２を有する。載置部１は、ほぼ円形であり、鍋、フライパンなどの調理用容器がその上に置かれる。操作部２は、電源ボタン、温度設定部などが設けられており、周知の構成及び機能を有する。載置部１の中央には、穴１０が形成されているが、これについては後述する。なお、載置部１の形状は特定の形状に限定されるものではない。
【００２４】
載置部１は、結晶化ガラス、強化ガラス、セラミックガラス等の素材で形成されるが、特定の素材に限定されるものではない。筐体３の上部は開口しており、その開口をふさぐように載置部１が取り付けられる。載置部１の中央に穴１０が形成されている。
【００２５】
中央部に超音波／音波発生部４が設けられており、その上端面４ａが穴１０に挿入されて、直接調理用容器に接触可能になっている。超音波／音波発生部４は、超音波または音波を発生して、調理用容器に伝達させる機能を有する。なお、上端面４ａには保護材９が設けられており、超音波または音波を伝達するときの不快な音の発生を抑制する。なお、保護材９はなくてもよいが、保護材９を設けるときは保護材９の上面が超音波／音波発生部４の上端面であると定義する。保護材９としては、例えば、シリコンゴムを用いることができる。
【００２６】
載置部１の下方には加熱用の電磁コイル５が設けられている。この電磁コイル５により調理用容器の中にある食材の誘導加熱（ＩＨ）を行う。電磁コイル５自体は周知の構成である。電磁コイル５の中央には穴が形成されており、その穴を超音波／音波発生部４が貫通するように配置される。また、電磁コイル５の下部にも超音波／音波発生部４を構成する部材が配置される。
【００２７】
調理用容器の中にある調理物は電磁コイル５により加熱されるが、さらに、超音波／音波発生部４により発生する超音波または音波により調理物に対して振動を与えることができる。これにより、風味や特質を向上させたり、調理物への味の浸透を促進するなどの調理効果を付与するものである。
【００２８】
超音波／音波発生部４は超音波だけでなく音波も発生可能な機能を有する。超音波か音波かは与える周波数により制御することができる。調理物に対する効果は超音波だけでなく音波であっても与えることができる。音波領域と超音波領域のそれぞれの特性を反映させることで調理物に対してより効果的な振動を付与することができる。
【００２９】
筐体３の内壁から棚部３０が突出しており、電磁コイル５の上下方向の位置決め等を行う。穴１０の近傍には、温度センサー６が設けられており、載置部１を介して調理用容器の中にある調理物の温度を検出する。また、載置部１の裏面であって、筐体３の内壁の近くに緩衝材７が設けられている。緩衝材７は、超音波が筐体３の方へ伝達するのを抑制する。これにより、不快な音の発生を抑制することができる。緩衝材７は、載置部１の裏面の適宜の箇所（複数箇所）に設けることもできるし、リング状に形成して単一の部材としてもよい。緩衝材７として、例えば、シリコンゴムを用いることができる。
【００３０】
図６は、制御ブロックを示す図である。制御部８として、温度制御部８０と発振制御部８１を有している。温調制御部８０は、温度センサー６により温度を検出して設定された温度になるように電磁コイル５の制御を行う。発振制御部８１は、超音波／音波発生部４により発生する超音波または音波の周波数や振幅等の制御を行う。なお、制御部８の機能は一部のみを取り上げて説明するものであり、他にも電磁調理器を制御するための種々の機能を備えている。制御部８は、マイコン等により構成される。
【００３１】
前述の特許文献１においては、超音波振動子により加振する周波数は、電磁調理器の周波数に固定される。従って、超音波の周波数を制御することができない。しかしながら、調理物によってはその周波数が最適な状態ではないこともありうる。そこで、本考案において、周波数を制御することで調理物に対して最適な周波数を付与することができる。例えば、操作部２において調理物の種類を選択できるようにし、選択された調理物に対応した周波数の超音波または音波を発生できるようにすることができる。
【００３２】
また、電磁コイル５の制御は、超音波／音波発生部４の制御とは独立しており、特許文献１のように電磁コイル５による加熱エネルギーが超音波／音波発生部４のために使用されることはなく、効率よく加熱することができる。
【００３３】
また、特許文献１の構成は電磁調理器の上にさらにコイルと超音波振動子を備えたユニットが搭載されており、電磁調理器と調理用容器との間にかなりの距離が生じている。これにより、電磁調理器から調理用容器に与えられるエネルギー（渦電流発生）効率が低下する。これに対して、本考案の場合は、図２からも分かるように、電磁コイル５と載置部１（調理用容器）の間に大きな距離はない。電磁コイル５と超音波／音波発生部４とは、それらの配置空間が完全に上下に分断されているのではなく、電磁コイル５の中央部に形成された穴に超音波／音波発生部４が部分的に貫通するような構成を採用している。これにより、上下方向のスペースを圧縮して効率のよい部品配置となっている。
【００３４】
次に、超音波／音波発生部４の構成及び原理を図５の模式図により説明する。なお、この図は原理を説明するためのものであり、寸法関係は実際とは異なるものである。磁性体で形成されるヨーク４０の上に永久磁石４１が搭載されている。永久磁石４１の上にはさらに磁性体によるプレート４２が設けられている。
【００３５】
ヨーク４０の中央に位置する円柱部４３には、ボビン４４が嵌合され、このボビン４４の外周に電磁コイル４５が巻回されている。この構成により、ボビン４４と電磁コイル４５が一体的に垂直方向に可動になる。ボビン４４の外周とプレート４２の間にはバネ（コイルスプリング）４６が設けられており、安定した支持構造としている。バネ４６に代えてダンパーを採用してもよい。バネ４６は、円周方向に沿って4カ所設けられるが、何カ所設けるかについては適宜設定することができる。
【００３６】
この構成による超音波／音波発生部４は、電磁コイル４５に電気信号を付与することで発生するローレンツ力を利用して音波領域から超音波領域までの音波や超音波を発生させるものである。発生する音波や超音波の周波数は、付与する電気信号の周波数により決まる。従って、任意の周波数に対応することが可能であり特定の周波数に固定されない。従って、調理物に適した周波数を加えることが可能になる。
【００３７】
また、圧電式や磁歪式の超音波振動子は自己発熱や加熱による温度上昇が超音波振動子の耐熱温度特性に影響を及ぼすことがあるが、本考案においてはこのような超音波振動子を使用しないので、耐熱の問題を回避することができ温度の制約を受けにくくなる。なお、発振制御部８１により音響的に人に聞こえる可聴周波数領域を除外するように制御してもよい。
【００３８】
また、発振制御部８１は調理物の種類に応じて発生させる周波数や電力の大きさ、電気信号の印加時間を制御することができる。調理物の種類については、操作部２を介して入力することができる。また、付与する電気信号の種類として連続波や間歇波を選択制御することができる。
【００３９】
また、音波領域から超音波領域までの周波数に対して音波または超音波を効率的に発生させる手段として、静磁場中の電磁コイルのインダクタンスを変える手段がある。さらに特定の周波数に対して効率を上げたり振動の大きさを強調する手段として電磁コイルに対してコンデンサーと組み合わせることによって直列共振回路を構成して効率を上げることもできる。なお、並列共振回路ではインピーダンスが高くなるので直列共振回路が好ましい。
【００４０】
＜第２実施形態＞
図３は、第２実施形態に係る電磁調理器の平面図である。図４は、第２実施形態に係る電磁調理器の内部構造を示す断面模式図である。
【００４１】
第１実施形態と異なる点は、載置部１に穴が形成されていない点である。載置部１の裏面に超音波／音波発生部４の上端面４ａの保護材９が当接している。その他の構成は第１実施形態と同じであるので説明を省略する。
【００４２】
＜別実施形態＞
本実施形態では、超音波／音波発生部４は１つが設けられているが複数設けられていてもよい。この場合、２つの超音波／音波発生部４を同じ制御にしてもよいし、周波数を変えて制御してもよいし、印加時間もそれぞれ個別に制御できることが好ましい。また、電気信号を連続波にするか間歇波にするかも個別に制御できることが好ましい。本考案に係る超音波／音波発生部４は、超音波と音波の両方を発生するものだけではなく、超音波のみを発生するものであってもよいし、音波のみを発生するものであってもよい。
【００４３】
本実施形態では、電磁コイルを上下移動可能な構成にしていたが、これに代えて、電磁コイルを固定し永久磁石を上下動させて超音波または音波を発生するように構成してもよい。また、永久磁石に代えて電磁石を用いてもよい。
【００４４】
本実施形態において、調理用容器が載置部１の面上で移動するのを抑制する突出部を設けてもよい。例えば、突出部としては、所定の高さを有するリング状の土手を形成することができる。あるいは、所定の長さの円弧状の土手を複数個形成してもよい。若しくは、勘合方式（調理用容器が載置部１と勘合する構造）による方法でも良い。
【符号の説明】
【００４５】
１        載置部
２        操作部
３        筐体
４        超音波／音波発生部
４ａ      上端面
４０      ヨーク
４１      永久磁石
４２      プレート
４３      円柱部
４４      ボビン
４５      電磁コイル
５        電磁コイル
６        温度センサー
７        緩衝材
８        制御部
８０      温度制御部
８１      発振制御部
９        保護材
１０      穴
【図１】
0003222650.tif 000003
【図２】
0003222650.tif 000004
【図３】
0003222650.tif 000005
【図４】
0003222650.tif 000006
【図５】
0003222650.tif 000007
【図６】
0003222650.tif 000008